(57)【要約】【課題】固定具を用いた家具の壁への固定作業をより容易なものとすると共に、固定具を家具の背側の任意の位置に取り付け可能とする。【解決手段】壁Ｗと家具Ｆの背板Ｆ１との間に配されるスペーサ部材１と、背板Ｆ１の表側に配される位置決め部材２とからなる。スペーサ部材１は、背板Ｆ１にその裏側から突き通される第一固定体Ｓ１を通過させる第一通し部１０と、背板Ｆ１の表側から壁Ｗに打ち込まれる第二固定体Ｓ２を通過させる第二通し部１１とを備えている。位置決め部材２は、第一固定体Ｓ１の前記背板Ｆ１からの突き出し部分Ｓ１ａに係合される係合部２０と、この係合部２０を突き出し部分Ｓ１ａに係合させた状態において第二通し部１１の前方に位置して第二固定体Ｓ２の打ち込みを案内するガイド部２１とを備えている。【選択図】図７
2015059581.tif 000002
【特許請求の範囲】
【請求項１】
壁と家具の背板との間に配されるスペーサ部材と、前記背板の表側に配される位置決め部材とからなり、
前記スペーサ部材は、前記背板にその裏側から突き通される第一固定体を通過させる第一通し部と、前記背板の表側から前記壁に打ち込まれる第二固定体を通過させる第二通し部とを備えており、
前記位置決め部材は、前記第一固定体の前記背板からの突き出し部分に係合される係合部と、この係合部を前記突き出し部分に係合させた状態において前記第二通し部の前方に位置して前記第二固定体の打ち込みを案内するガイド部とを備えていることを特徴とする家具用固定具。
【請求項２】
位置決め部材の係合部は、第一固定体の突き出し部分を受け入れてこれが嵌まる凹所であることを特徴とする請求項１に記載の家具用固定具。
【請求項３】
位置決め部材のガイド部は、貫通孔であることを特徴とする請求項１又は請求項２に記載の家具用固定具。
【請求項４】
位置決め部材は、家具の天板、側板又は底板に接するベース部と、このベース部から突き出す立ち上がり部とを備えてなることを特徴とする請求項１〜請求項３のいずれか１項に記載の家具用固定具。
【請求項５】
スペーサ部材は、家具における背板の端部が納まる溝に嵌まる差込部を備えていることを特徴とする請求項１〜請求項４のいずれか１項に記載の家具用固定具。
【請求項６】
凹所内に第一固定体の突き出し部分に対する引っかかり部が備えられていることを特徴とする請求項２に記載の家具用固定具。
【発明の詳細な説明】
【技術分野】
【０００１】
この発明は、家具をその背側において壁に固定するにあたって利用される家具用固定具の改良に関する。
【背景技術】
【０００２】
家具の背側に予め固定されると共に、家具の背板に表側からねじ込まれるビスを通過させる壁面固定孔を備えた固定部材（家具用固定具）がある。（特許文献１参照）
【０００３】
かかる固定部材は、前記ビスを壁に打ち込むに先立ち、背板の裏面側から壁面固定孔を使って目印孔を形成させておくことを必要不可欠とするものであった。
【０００４】
また、かかる固定部材は、その構造上、家具の角部以外には取り付けできないものであった。この種の家具は、壁を構成する柱や間柱にビスなどを用いて止め付けることが望まれるため、家具の角部以外の箇所にこの種の固定部材を取り付けることができれば、この種の家具の壁への取付位置の自由度が高まると共に、その施工作業も一層容易なものとなる。
【先行技術文献】
【特許文献】
【０００５】
【特許文献１】特開２０１１−１５３６３４号公報
【発明の概要】
【発明が解決しようとする課題】
【０００６】
この発明が解決しようとする主たる問題点は、この種の家具用固定具を用いた家具の壁への固定作業をより容易なものとすると共に、この種の家具用固定具を家具の背側の任意の位置に取り付け可能なものとする点にある。
【課題を解決するための手段】
【０００７】
前記課題を達成するために、この発明にあっては、家具用固定具を、壁と家具の背板との間に配されるスペーサ部材と、前記背板の表側に配される位置決め部材とからなり、
前記スペーサ部材は、前記背板にその裏側から突き通される第一固定体を通過させる第一通し部と、前記背板の表側から前記壁に打ち込まれる第二固定体を通過させる第二通し部とを備えており、
前記位置決め部材は、前記第一固定体の前記背板からの突き出し部分に係合される係合部と、この係合部を前記突き出し部分に係合させた状態において前記第二通し部の前方に位置して前記第二固定体の打ち込みを案内するガイド部とを備えているものとした。
【０００８】
先ず、家具の背側の所望の位置にスペーサ部材を位置づける。次いで、第一通し部を通じて第一固定体を背板に突き通す。次いで、第一固定体の突き出し部分に係合部を係合させるようにしてこの突き出し部分を介して背板を挟んでスペーサ部材に位置決め部材を組み合わす。位置決め部材のガイド部は突き出し部分に係合部を係合させた状態において第二通し部の前方に位置されるようになっていることから、この状態からガイド部を通じて第二固定体を前方から打ち込むと、第二固定体は背板を突き通して第二通し部に入り込み、さらに壁に打ち込まれる。これにより、容易且つ確実に家具を壁に固定することができる。
【０００９】
前記位置決め部材の係合部は、第一固定体の突き出し部分を受け入れてこれが嵌まる凹所としておくことが、この発明の好ましい態様の一つとされる。
【００１０】
また、前記位置決め部材のガイド部は、貫通孔としておくことが、この発明の好ましい態様の一つとされる。
【００１１】
また、前記位置決め部材を、家具の天板、側板又は底板に接するベース部と、このベース部から突き出す立ち上がり部とを備えたものとしておくことが、この発明の好ましい態様の一つとされる。このようにした場合、ベース部を家具の天板、側板又は底板の内面に接しさせながら、この立ち上がり部の背面を背板の表面に接する位置まで移動させることで、前記係合部に第一固定体の突き出し部分を導入することができる。前記ベース部を家具の天板、側板又は底板の内面に接しさせることで、位置決め部材はスペーサ部材と第一固定体を介して一箇所で組み合わされているが、ガイド部を第二通し部の前方に位置させた状態は安定的に維持される。
【００１２】
また、前記スペーサ部材を、家具における背板の端部が納まる溝に嵌まる差込部を備えたものとしておくことが、この発明の好ましい態様の一つとされる。前記溝にこの突片を差し込むことで、前記第一固定体を背板に突き通すに先だってスペーサ部材を家具の背側の所望の位置に安定的に位置づけることができる。また、このように前記溝に突片を差し込むことで、前記背板のガタも抑止される。
【００１３】
また、前記凹所内に第一固定体の突き出し部分に対する引っかかり部を備えさせておくことが、この発明の好ましい態様の一つとされる。
【発明の効果】
【００１４】
この発明にかかる家具用固定具は、第一固定体を利用してスペーサ部材に組み合わされる位置決め部材によって第二固定体の打ち込み位置となるガイド部をスペーサ部材の第二通し部の前方に確実に位置づけることができ、家具用固定具を用いた家具の壁への固定作業をより容易なものとすることができる。また、この発明にかかる家具用固定具は、家具の背側の任意の位置に支障なく取り付け可能である。
【図面の簡単な説明】
【００１５】
【図１】図１はこの発明の一実施の形態にかかる家具用固定具（第一例）を構成するスペーサ部材の背面図（ａ図）、側面図（ｂ図）およびＡ−Ａ断面図（ｃ図）である。
【図２】図２は前記第一例を構成する位置決め部材の正面図（ａ図）、側面図（ｂ図）およびＢ−Ｂ断面図（ｃ図）である。
【図３】図３は前記第一例を構成するスペーサ部材を家具の背側に第一固定体によって固定する直前の状態を家具の背側から見て示した斜視図である。
【図４】図４は図３の状態から前記第一例を構成する位置決め部材を家具の表側から第一固定体の突き出し部分に係合させる直前の状態を家具の表側から見て示した斜視図である。
【図５】図５は図４の状態から前記第一例を構成する位置決め部材のガイド部に第二固定体を差し込む直前の状態を家具の表側から見て示した斜視図である。
【図６】図６は第二固定体を第一例の家具用固定具を利用して壁に打ち込んだ状態を家具の表側から見て示した斜視図である。
【図７】図７は第二固定体を第一例の家具用固定具を利用して壁に打ち込んだ状態を示した断面図である。
【図８】図８は第一例を構成する位置決め部材の構成の一部を変更した例を示した断面図である。
【図９】図９は第一例の家具用固定具にカバー部材を取り付けた状態を示した断面図である。
【図１０】図１０は図９に示されるカバー部材の斜視図である。
【図１１】図１１はこの発明の一実施の形態にかかる家具用固定具（第二例）を構成するスペーサ部材と位置決め部材とを分離して表した斜視図である。
【図１２】図１２は第二固定体をこの発明の一実施の形態にかかる家具用固定具（第三例）を利用して壁に打ち込んだ状態を示した断面図である。
【図１３】図１３は前記第三例を構成する位置決め部材の斜視図である。
【発明を実施するための形態】
【００１６】
以下、図１〜図１３に基づいて、この発明の典型的な実施の形態について、説明する。この実施の形態にかかる家具用固定具は、家具Ｆをその背側において壁Ｗに固定するにあたって利用されるものである。典型的には、かかる家具用固定具は、戸棚や吊戸棚などの家具Ｆを、これらの背側において壁Ｗに固定するにあたって利用されるものである。
【００１７】
かかる家具用固定具は、スペーサ部材１と、位置決め部材２とからなる。一つの家具Ｆを壁Ｗに固定するにあたっては、典型的には、二以上の家具用固定具が利用される。 
【００１８】
スペーサ部材１は、壁Ｗと家具Ｆの背板Ｆ１との間に配される。典型的には、スペーサ部材１は、家具Ｆの背側を壁Ｗに密着させた状態において、この家具Ｆの背板Ｆ１と壁Ｗとの間に形成される隙間Ｌに納まる前後寸法を備えるように構成される。すなわち、スペーサ部材１の前面１２と背面１３との間の距離は、前記家具Ｆの背板Ｆ１と壁Ｗとの間に形成される隙間Ｌと略等しいか、これよりやや小さくなる。
【００１９】
図示の例では、家具Ｆは、前記背板Ｆ１を有すると共に、天板Ｆ２と底板Ｆ３と側板Ｆ４とを有したものとなっている。底板Ｆ３の後端側であってこの底板Ｆ３の上面部には、この後端との間にやや間隔を開けて左右方向に続く前記背板Ｆ１の下側の端部Ｆ１ａを納める溝Ｆ３ａが形成されている。また、前記側板Ｆ４の後端側であってこの側板Ｆ４の内面部には、この後端との間にやや間隔を開けて上下方向に続く前記背板Ｆ１の側端部Ｆ１ａを納める溝Ｆ４ａが形成されている。また、天板Ｆ２の後端側であってこの天板Ｆ２の下面部には、この後端との間にやや間隔を開けて左右方向に続く前記背板Ｆ１の上側の端部Ｆ１ａを納める溝Ｆ１ｃが形成されている。前記背板Ｆ１は、これらの溝Ｆ２ａ、Ｆ３ａ、Ｆ４ａに対応する端部Ｆ１ａをそれぞれ納めて、家具Ｆの背側を塞いでいる。これにより、図示の例では、底板Ｆ３、側板Ｆ４及び天板Ｆ２の後端と背板Ｆ１の裏面Ｆ１ｂとの間に前記隙間Ｌが形成されるようになっている。
【００２０】
また、前記スペーサ部材１は、前記背板Ｆ１にその裏側から突き通される第一固定体Ｓ１を通過させる第一通し部１０と、前記背板Ｆ１の表側から前記壁Ｗに打ち込まれる第二固定体Ｓ２を通過させる第二通し部１１とを備えている。前記第一通し部１０の形成位置と異なる位置に前記第二通し部１１は形成される。
【００２１】
第一固定体Ｓ１は前記背板Ｆ１に突き通される構造のものであれば良く、また、第二固定体Ｓ２は前記背板Ｆ１に突き通され、さらに、壁Ｗに打ち込まれる構造のものであれば良く、公知の各種の軸状の固定体を用いることができる。図示の例では、第一固定体Ｓ１及び第二固定体Ｓ２はいずれも、頭部Ｓ１ｃ、Ｓ２ｂと軸部Ｓ１ｂ、Ｓ２ａとを備えた木ねじ状のもの（タッピングビス）となっている。
【００２２】
位置決め部材２は、前記背板Ｆ１の表側に配される。かかる位置決め部材２は、前記第一固定体Ｓ１の前記背板Ｆ１からの突き出し部分Ｓ１ａに係合される係合部２０と、この係合部２０を前記突き出し部分Ｓ１ａに係合させた状態において前記第二通し部１１の前方に位置して前記第二固定体Ｓ２の打ち込みを案内するガイド部２１とを備えている。
【００２３】
先ず、家具Ｆの背側の所望の位置にスペーサ部材１を位置づける。次いで、第一通し部１０を通じて第一固定体Ｓ１を背板Ｆ１に突き通す。典型的には、第二固定体Ｓ２が壁Ｗを構成する柱や間柱に打ち込まれるように、家具Ｆの背側の適切な位置にスペーサ部材１を位置づけ、これを第一固定体Ｓ１により家具Ｆに固定する。次いで、第一固定体Ｓ１の突き出し部分Ｓ１ａに係合部２０を係合させるようにしてこの突き出し部分Ｓ１ａを介して背板Ｆ１を挟んでスペーサ部材１に位置決め部材２を組み合わす。位置決め部材２のガイド部２１は突き出し部分Ｓ１ａに係合部２０を係合させた状態において第二通し部１１の前方に位置されるようになっていることから、この状態からガイド部２１を通じて第二固定体Ｓ２を前方から打ち込むと、第二固定体Ｓ２は背板Ｆ１を突き通して第二通し部１１に入り込み、さらに壁Ｗに、典型的には前記柱や間柱に、打ち込まれる。これにより、容易且つ確実に家具Ｆを壁Ｗに固定することができる。
【００２４】
（第一例）
図１〜図１０に示される第一例にあっては、スペーサ部材１は、長方形状の前面１２及び背面１３を備えた６面体状を呈している。前面１２及び背面１３の長さ方向中程の位置を挟んだ一方側には第一通し部１０が形成され、前面１２及び背面１３の長さ方向中程の位置を挟んだ他方側には第二通し部１１が形成されている。
【００２５】
第一通し部１０は、スペーサ部材１を前後に貫通する貫通孔により構成されている。第一通し部１０は、頭部Ｓ１ｃと軸部Ｓ１ｂとを備えた第一固定体Ｓ１の軸部Ｓ１ｂは通すが頭部Ｓ１ｃは通さない前側小径部分１０ａと、第一固定体Ｓ１の頭部Ｓ１ｃを受容する後側大径部分１０ｂとから構成されている。後側大径部分１０ｂと前側小径部分１０ａとの間には、周回段差面１０ｃが形成されている。この第一例では、スペーサ部材１の前面１２を背板Ｆ１の裏面Ｆ１ｂに密着させた状態から第一固定体Ｓ１をその軸部Ｓ１ｂ側から第一通し部１０に差し込み、第一固定体Ｓ１の頭部Ｓ１ｃが前記周回段差面１０ｃに突き当たる位置まで捻回させると、第一固定体Ｓ１の軸部Ｓ１ｂは背板Ｆ１を突き通してスペーサ部材１がこの背板Ｆ１に固定されると共に、第一固定体Ｓ１の軸部Ｓ１ｂの先端側が前記突き出し部分Ｓ１ａとして背板Ｆ１の表面Ｆ１ｃから前方に突き出すようになっている。第一通し部１０の前側小径部分１０ａの内径は第一固定体Ｓ１の軸部Ｓ１ｂの外径とほぼ等しくなっている。
【００２６】
第二通し部１１は、スペーサ部材１を前後に貫通する貫通孔により構成されている。第二通し部１１は、頭部Ｓ２ｂと軸部Ｓ２ａとを備えた第二固定体Ｓ２の軸部Ｓ２ａは通すが頭部Ｓ２ｂは通さない内径となっている。第二通し部１１の内径は第二固定体Ｓ２の軸部Ｓ２ａの外径とほぼ等しくなっている。  
【００２７】
また、この第一例にあっては、スペーサ部材１は、家具Ｆにおける背板Ｆ１の端部Ｆ１ａが納まる溝、図示の例では底板Ｆ３の溝Ｆ３ａに嵌まる差込部１６を備えている。図示の例では、スペーサ部材１の前面１２と短手側の側面１４の一つとが接し合う隅部に、この隅部に一辺を一体に連接させてこの短手側の側面１４に直交する向きに突き出す略方形の突片１６ａが備えられている。この突片１６ａの前面１６ｂはスペーサ部材１の前面１２と同面上に位置されている。また、この突片１６ａの突き出し方向に直交する向きの長さは、前記隅部の長さよりも小さく、突片１６ａの突き出し方向に沿った辺とスペーサ部材１の長手側の側面１５との間には間隔が形成されている。突片１６ａの背面１６ｃには、その突き出し方向に直交する向きに沿って延びる突条１６ｄが突片１６の突き出し方向において多段に設けられており、突片１６ａの背面１６ｃは粗面となっている。スペーサ部材１の第一通し部１０はこの突片１６ａ側に位置されている。そして、この第一例にあっては、前記溝Ｆ３ａにこの突片１６ａを差し込むことで、前記第一固定体Ｓ１を背板Ｆ１に突き通すに先だってスペーサ部材１を家具Ｆの背側の所望の位置に安定的に位置づけることができるようになっている。このように前記溝Ｆ３ａに突片１６ａを差し込むことで、前記背板Ｆ１のガタも抑止される。すなわち、この第一例にあっては、かかる突片１６ａが前記差込部１６として機能するようになっている。
【００２８】
また、第一例にあっては、位置決め部材２は、ベース部２２と、このベース部２２から突き出す立ち上がり部２３とを備えている。ベース部２２及び立ち上がり部２３はいずれも、スペーサ部材１の前面１２の短手寸法と略等しい幅を備えた板状を呈している。立ち上がり部２３は長方形の板状を呈している。ベース部２２の後側の辺部と立ち上がり部２３の短手側の一辺部とが一体に連接されており、位置決め部材２は側面視の状態において実質的にＬ字状を呈している。
【００２９】
立ち上がり部２３の長さ方向中程の位置を挟んだベース部２２側に、前記係合部２０が形成されている。この第一例では、位置決め部材２の係合部２０は、第一固定体Ｓ１の突き出し部分Ｓ１ａを受け入れてこれが嵌まる凹所２０ａとなっている。図示の例では、かかる凹所２０ａは、立ち上がり部２３の背面において開放されためくら孔状を呈している。かかる凹所２０ａの内径は第一固定体Ｓ１の軸部の外径とほぼ等しくなっている。かかる凹所２０ａの前後寸法は、立ち上がり部２３のその余の箇所の前後寸法よりも大きくなっており、これに対応して立ち上がり部２３の前面２３ａには膨出部２３ｂが形成され、この膨出部２３ｂの内部に前記凹所２０ａが形成されている。
【００３０】
家具Ｆにスペーサ部材１を取り付けた状態から、家具Ｆの前側から第一固定体Ｓ１の突き出し部分Ｓ１ａを係合部２０に導入すると、この第一固定体Ｓ１を介して背板Ｆ１の裏面Ｆ１ｂ側に位置されるスペーサ部材１と背板Ｆ１の前面側に位置される位置決め部材２とが組み合わされる。この第二例にあっては、ベース部２２を家具Ｆの天板Ｆ２、側板Ｆ４又は底板Ｆ３の内面に接しさせながら、この立ち上がり部２３の背面を背板Ｆ１の表面Ｆ１ｃに接する位置まで移動させることで、前記係合部２０に第一固定体Ｓ１の突き出し部分Ｓ１ａを導入できるようになっている。前記ベース部２２を家具Ｆの天板Ｆ２、側板Ｆ４又は底板Ｆ３の内面に接しさせることで、位置決め部材２はスペーサ部材１と第一固定体Ｓ１を介して一箇所で組み合わされているが、ガイド部２１を第二通し部１１の前方に位置させた状態は安定的に維持される。
【００３１】
前記立ち上がり部２３の長さ方向中程の位置を挟んだベース部２２側と反対の側に、前記ガイド部２１が形成されている。この第一例では、位置決め部材２のガイド部２１は、立ち上がり部２３を前後に貫通する貫通孔によって構成されている。
【００３２】
位置決め部材２の係合部２０の中心とガイド部２１の中心との距離は、前記スペーサ部材１の第一通し部１０の中心と第二通し部１１の中心との距離に一致している。これにより、前記のように第一固定体Ｓ１を介して背板Ｆ１の裏面Ｆ１ｂ側に位置されるスペーサ部材１と背板Ｆ１の表面Ｆ１ｃ側に位置される位置決め部材２とを組み合わせると、ガイド部２１の後方にスペーサ部材１の第二通し部１１が位置されるようになっている。この状態からガイド部２１を通じて第二固定体Ｓ２を前方から打ち込むと、第二固定体Ｓ２は背板Ｆ１を突き通して第二通し部１１に入り込み、さらに壁Ｗに打ち込まれる。
【００３３】
図１０は、このように第二固定体Ｓ２を壁Ｗに打ち込んだ後に、位置決め部材２に取り付けられるカバー部材３を示している。かかるカバー部材３は、位置決め部材２のベース部２２の前後寸法よりやや大きい底辺３０ａと、立ち上がり部２３の長手方向の寸法よりもやや大きい後ろ側の辺３０ｂと、弧状に湾曲した前側の辺３０ｃとを備えた略三角形の一対の側板部３０、３０と、この一対の側板部３０、３０の前側の辺３０ｃ間に亘る前板部３１とを備えている。一対の側板部３０、３０間の距離は位置決め部材２の短手側の寸法と略等しくなっている。一対の側板部３０、３０にはそれぞれ、前記後ろ側の辺３０ｂから内方に突き出す爪部３０ｄが形成されている。第一例では、位置決め部材２の立ち上がり部２３の背面を背板Ｆ１の表面Ｆ１ｃに密着させた状態において、この立ち上がり部２３の左右両端部と背板Ｆ１との間には隙間が形成されるようにこの立ち上がり部２３は中央で厚く左右で薄くなっており、この隙間に爪部３０ｄを入れ込ませるようにしてカバー部材３を図７における上方から下方に向けてスライド移動させることで、位置決め部材２をカバー部材３の内側に納めることができると共に、この状態を維持できるようになっている。（図９）
【００３４】
なお、位置決め部材２の係合部２０となる凹所２０ａ内には、図８に示されるように、第一固定体Ｓ１の突き出し部分Ｓ１ａに対する引っかかり部２０ｂを備えさせておいても良い。この図８に示される例では、位置決め部材２の背面側に位置され凹所２０ａの入り口に、第一固定体Ｓ１の軸部Ｓ１ｂの雄ねじに引っかかる爪状をなす引っかかり部２０ｂが形成されている。図８中、符号２４で示されるのは、位置決め部材２をプラスチックの成形品とする場合に、この引っかかり部２０ｂを成形する金型の一部を抜け出させるために必要となる窓孔である。
【００３５】
（第二例）
図１１に示される第二例にあっては、スペーサ部材１は、円形状の前面１２及び背面１３を備えた短寸の円柱状を呈している。この第二例にあっては、前記前面１２の中央と前記背面１３の中央とに亘って前記第二通し部１１となる貫通孔が形成されていると共に、この第二通し部１１を挟んだ両側にそれぞれ、前記第一通し部１０となる貫通孔が形成されている。
【００３６】
また、この第二例にあっては、位置決め部材２は、円板状を呈している。位置決め部材２の中央にはガイド部２１となる貫通孔が形成されている。また、また、このガイド部２１を挟んだ両側にはそれぞれ、前記係合部２０となる凹所２０ａが形成されている。ガイド部２１と係合部２０との間の距離はスペーサ部材１の第二通し部１１と第一通し部１０との間の距離と一致している。
【００３７】
スペーサ部材１の二箇所の第一通し部１０にそれぞれ第一固定体Ｓ１を通してこの第一固定体Ｓ１を背板Ｆ１に突き通した後、位置決め部材２の二箇所の係合部２０の一方に一方の第一固定体Ｓ１の突き出し部分Ｓ１ａが納まり、かつ、位置決め部材２の二箇所の係合部２０の他方に他方の第一固定体Ｓ１の突き出し部分Ｓ１ａが納まるように位置決め部材２をセットすると、背板Ｆ１を挟んで位置決め部材２のガイド部２１の後方にスペーサ部材１の第二通し部１１が位置される。この状態からガイド部２１を通じて第二固定体Ｓ２を前方から打ち込むと、第二固定体Ｓ２は背板Ｆ１を突き通して第二通し部１１に入り込み、さらに壁Ｗに打ち込まれる。
【００３８】
（第三例）
図１２及び図１３に示される第三例にあっては、スペーサ部材１の背面側には凹み１７が形成されている。この凹み１７は、スペーサ部材１の長さ方向中程の位置を最奥部１７ａとするように構成されていると共に、この最奥部１７ａを挟んだ図１２において下側に位置される第一内面１７ｂに対し、最奥部１７ａを挟んだ図１２において上側に位置される第二内面１７ｃを、この最奥部１７ａにおいて略直角に交わらせている。この第三例にあっては、前記第二通し部１１となる貫通孔は前後方向に沿って形成され、第二内面１７ｃにおいて後方に開放されている。一方、前記第一通し部１０となる貫通孔は孔軸を第一内面１７ｂに直交させるように形成されている。
【００３９】
また、この第三例にあっては、位置決め部材２は、板状をなすベース部２２と、このベース部２２から突き出す板状をなす立ち上がり部２３とを備えている。ベース部２２の後側の辺部と立ち上がり部２３の短手側の一辺部とが一体に連接されており、位置決め部材２は側面視の状態において実質的にＬ字状を呈している。位置決め部材２の立ち上がり部２３におけるベース部２２との連接側と反対の側にはガイド部２１となる貫通孔が形成されている。一方、係合部２０は、ベース部２２と立ち上がり部２３との連接箇所の一部を割り欠く溝状部２０ｃによって構成されている。
【００４０】
この第三例にあっては、第一固定体Ｓ１は、スペーサ部材１の第一通し部１０を通じて背板Ｆ１に斜めに突き通され、さらに、家具Ｆの底板Ｆ３に打ち込まれるようになっている。この第三例では、このように打ち込まれて背板Ｆ１の表面Ｆ１ｃの前方に位置される第一固定体Ｓ１の中間部が前記突き出し部分Ｓ１ａとして機能するようになっている。この第三例にあっては、このように第一固定体Ｓ１によってスペーサ部材１を家具Ｆに固定した後、位置決め部材２のベース部２２が底板Ｆ３に接し、立ち上がり部２３が背板Ｆ１に接し、かつ、前記係合部２０としての溝状部２０ｃに第一固定体Ｓ１の突き出し部分Ｓ１ａが納まるようにして位置決め部材２のセットが可能になっている。そして、このセット状態において、背板Ｆ１を挟んで位置決め部材２のガイド部２１の後方にスペーサ部材１の第二通し部１１が位置されるようになっている。この状態からガイド部２１を通じて第二固定体Ｓ２を前方から打ち込むと、第二固定体Ｓ２は背板Ｆ１を突き通して第二通し部１１に入り込み、さらに壁Ｗに打ち込まれる。
【符号の説明】
【００４１】
Ｗ  壁
Ｆ  家具
Ｆ１  背板
Ｓ１  第一固定体
Ｓ１ａ  突き出し部分
Ｓ２  第二固定体
１  スペーサ部材
１０  第一通し部
１１  第二通し部
２  位置決め部材
２０  係合部
２１  ガイド部
【図１】
2015059581.tif 000003
【図２】
2015059581.tif 000004
【図３】
2015059581.tif 000005
【図４】
2015059581.tif 000006
【図５】
2015059581.tif 000007
【図６】
2015059581.tif 000008
【図７】
2015059581.tif 000009
【図８】
2015059581.tif 000010
【図９】
2015059581.tif 000011
【図１０】
2015059581.tif 000012
【図１１】
2015059581.tif 000013
【図１２】
2015059581.tif 000014
【図１３】
2015059581.tif 000015